(57)【要約】【課題】    レイアウト定義データをユーザに簡易に選択させる。【解決手段】  テンプレートの属性項目を表示する属性項目選択コンボボックス３１０のドロップダウンボタン３１１が押下されるとドロップダウンリスト３１２が表示される。ドロップダウンリスト３１２には、テンプレートの印刷規定情報に含まれる属性情報の一部の属性項目名が表示される。コンボボックス３０１には初期値「Ａｌｌ」が設定されており、属性項目名「カテゴリー」、「出力形式」、「印刷媒体」がドロップダウンリスト３１２に表示される。画像処理装置は、ユーザによって選択されたドロップダウンリスト３１２の属性項目を属性項目選択コンボボックス３１０に表示し、各テンプレートの変更後の属性項目に設定されている属性値が同一のテンプレートを同一グループに分類する。【選択図】  図７
2006309397.tif 000002
【特許請求の範囲】
【請求項１】
印刷媒体上での画像の配置を定義する配置情報および属性を表す属性情報が関連付けられているレイアウト定義データと画像データを用いて印刷データを生成する画像処理装置であって、
前記レイアウト定義データを格納するレイアウト定義データ格納部と、
前記属性情報に含まれる複数の大項目のうち１の大項目が表示される大項目表示領域と前記大項目表示領域に表示されている大項目に対応付けられている複数の中項目が表示される中項目表示領域とを有する表示部と、
前記大項目表示領域に表示されている大項目の切換を受け付ける大項目切換受付手段と、
前記切換に連動して前記切り換えられた大項目に対応付けられている複数の中項目を前記中項目表示領域に表示させる中項目表示制御手段と、
前記中項目表示領域に表示されている複数の中項目のうち１の中項目の選択を受け付ける中項目選択受付手段と、
前記選択された中項目が設定されているレイアウト定義データを、前記レイアウト定義データ格納部に格納されている全レイアウト定義データから候補レイアウト定義データとして抽出する抽出手段と、
前記候補レイアウト定義データの中から前記印刷データの生成に使用するレイアウト定義データの指定を受け付ける指定受付手段と、
前記指定されたレイアウト定義データをレイアウト定義データ格納部から取得するレイアウト定義データ取得手段と、
前記レイアウト定義データと前記画像データを用いて印刷装置に出力する印刷データを生成する印刷データ生成手段とを備える画像処理装置。
【請求項２】
請求項１記載の画像処理装置であって、
前記中項目表示制御手段は、更に、前記候補レイアウト定義データを前記選択された中項目と対応付けて前記表示部に表示する画像処理装置。
【請求項３】
請求項１または請求項２記載の画像処理装置であって、更に、
前記レイアウト定義データ格納部に格納されているレイアウト定義データを、前記切り換えられた大項目に含まれる中項目別に分類する分類手段を備え、
前記抽出手段は、前記選択された中項目が設定されているレイアウト定義データの一群に分類されたレイアウト定義データを前記候補レイアウト定義データとして抽出する画像処理装置。
【請求項４】
請求項１ないし請求項３いずれか記載の画像処理装置であって、
前記大項目は、前記レイアウト定義データを用いて印刷された印刷結果の使用目的の区分、前記印刷データの出力形式、および前記印刷データを印刷する印刷媒体のうち少なくとも１つを含む画像処理装置。
【請求項５】
印刷媒体上での画像の配置を定義する配置情報および複数の大項目を有する属性情報が関連付けられているレイアウト定義データと画像データを用いて印刷データを生成する印刷データ生成方法であって、
大項目表示領域に表示されている大項目の切換を受け付け、
前記切換に連動して前記切り換えられた大項目に対応付けられている複数の中項目を中項目表示領域に表示させ、
前記中項目表示領域に表示されている複数の中項目のうち１の中項目の選択を受け付け、
前記選択された中項目が設定されているレイアウト定義データを、レイアウト定義データ格納部に格納されている全レイアウト定義データから候補レイアウト定義データとして抽出し、
前記候補レイアウト定義データの中から前記印刷データの生成に使用するレイアウト定義データの指定を受け付け、
前記指定されたレイアウト定義データをレイアウト定義データ格納部から取得し、
前記レイアウト定義データと前記画像データを用いて印刷装置に出力する印刷データを生成する印刷データ生成方法。
【発明の詳細な説明】
【技術分野】
【０００１】
本発明は、レイアウト定義データに従って画像の配置やサイズを編集し印刷データを生成する画像処理装置に関する。
【背景技術】
【０００２】
従来、一般的なプリンタよりも大きなサイズの用紙を用いて画像を印刷することができる特殊プリンタが使用されている。特殊プリンタは、印刷処理に関して専門的な知識を有する印刷業者が商業的な用途に使用することが多い。例えば、特殊プリンタを用いてサイズの大きな用紙に印刷する際に、印刷業者は画像処理ソフトを用いて、例えば用紙上のどの位置に画像を配置するか、用紙上に何枚の画像を配置するかという情報が定義されたレイアウト定義データに画像データを割り付けて印刷データを生成し、画像を印刷する。
【０００３】
印刷業者などの利用者は、複数のレイアウト定義データから所望するレイアウト定義データを選択して印刷データを生成する。
【０００４】
【特許文献１】特開２００４−２８０１６３号公報
【特許文献２】特開２００４−１１４４８５号公報
【特許文献３】特開２００３−１６７７２３号公報
【発明の開示】
【発明が解決しようとする課題】
【０００５】
しかしながら、レイアウト定義データには配置情報だけでなく、属性情報、例えば、レイアウト定義データを用いて印刷された印刷結果の使用される区分やレイアウト定義データを用いて生成した印刷データを印刷する際の出力形状も設定される。従って、多種多様のレイアウト定義データが存在する。多種多様なレイアウト定義データの中から所望するレイアウト定義データを選択することはユーザにとって煩雑であった。
【０００６】
本発明はこのような課題に鑑みてなされたものであり、レイアウト定義データをユーザに簡易に選択させることを目的とする。
【課題を解決するための手段】
【０００７】
上述した課題の少なくとも一部を解決するために、本発明の画像処理装置は、
前記レイアウト定義データを格納するレイアウト定義データ格納部と、
前記属性情報に含まれる複数の大項目のうち１の大項目が表示される大項目表示領域と前記大項目表示領域に表示されている大項目に対応付けられている複数の中項目が表示される中項目表示領域とを有する表示部と、
前記大項目表示領域に表示されている大項目の切換を受け付ける大項目切換受付手段と、
前記切換に連動して前記切り換えられた大項目に対応付けられている複数の中項目を前記中項目表示領域に表示させる中項目表示制御手段と、
前記中項目表示領域に表示されている複数の中項目のうち１の中項目の選択を受け付ける中項目選択受付手段と、
前記選択された中項目が設定されているレイアウト定義データを、前記レイアウト定義データ格納部に格納されている全レイアウト定義データから候補レイアウト定義データとして抽出する抽出手段と、
前記候補レイアウト定義データの中から前記印刷データの生成に使用するレイアウト定義データの指定を受け付ける指定受付手段と、
前記指定されたレイアウト定義データをレイアウト定義データ格納部から取得するレイアウト定義データ取得手段と、
前記レイアウト定義データと前記画像データを用いて印刷装置に出力する印刷データを生成する印刷データ生成手段とを備えることを要旨とする。
【０００８】
本発明の画像処理装置によれば、レイアウト定義データの抽出に用いる大項目を切り換えることができるため、種々の大項目に含まれる中項目を用いて柔軟に候補レイアウト定義データを抽出することができる。また、本発明の画像処理装置によれば、抽出に用いる大項目、大項目に含まれる中項目を表示部に表示することができため、利用者は種々の大項目のうち、いずれの大項目、中項目を用いてレイアウト定義データの抽出を行ったかを確認することができる。
【０００９】
本発明の画像処理装置において、更に、
前記中項目表示制御手段は、更に、前記候補レイアウト定義データを前記選択された中項目と対応付けて前記表示部に表示してもよい。
【００１０】
本発明の画像処理装置によれば、ユーザは候補レイアウト定義データを視認した上で印刷データの生成に使用するレイアウト定義データを指定することができ、利便性の向上を図ることができる。
【００１１】
本発明の画像処理装置において、
更に、
前記レイアウト定義データ格納部に格納されているレイアウト定義データを、前記切り換えられた大項目に含まれる中項目別に分類する分類手段を備え、
前記抽出手段は、前記選択された中項目が設定されているレイアウト定義データの一群に分類されたレイアウト定義データを前記候補レイアウト定義データとして抽出してもよい。
【００１２】
本発明の画像処理装置によれば、レイアウト定義データの抽出に先立ち、レイアウト定義データを大項目に含まれる中項目別に分類することができる。分類結果を用いることにより、候補レイアウト定義データの抽出処理の負荷を軽減することが出来る。
【００１３】
本発明の画像処理装置において、
前記大項目は、前記レイアウト定義データを用いて印刷された印刷結果の使用目的の区分、前記印刷データの出力形式、および前記印刷データを印刷する印刷媒体のうち少なくとも１つを含んでいてもよい。
【００１４】
本発明の画像処理装置によれば、種々の大項目に基づきレイアウト定義データを分類することができるため、ユーザの利便性を向上させることができる。
【００１５】
本発明において、上述した種々の態様は、適宜、組み合わせたり、一部を省略したりして適用することができる。また、本発明は、上述した画像処理装置としての構成の他に、画像処理装置による印刷データ生成方法、画像処理装置に印刷データを出力させるためのコンピュータプログラム、かかるコンピュータプログラムをコンピュータ読み取り可能に記録した記録媒体等としても構成できる。いずれの構成においても、上述した各態様を適宜適用可能である。コンピュータが読み取り可能な記録媒体としては、例えば、フレキシブルディスクや、ＣＤ−ＲＯＭ、ＤＶＤ−ＲＯＭ、光磁気ディスク、ＩＣカード、ハードディスク等種々の媒体を利用することが可能である。
【発明を実施するための最良の形態】
【００１６】
以下、本発明の実施の形態について、実施例に基づき、次の順序で説明する。
Ａ．実施例：
実施例では、画像のレイアウト条件や印刷条件が予め設定されているテンプレートに画像データを割り付けて印刷データを生成し、テンプレートとテンプレートに割り付けられた画像データとを関連付けて保存する画像処理装置について説明する。
【００１７】
Ａ１．システム構成：
図１は、実施例におけるシステム構成を例示する説明図である。印刷システム１０００は、画像処理装置１０とプリンタ２０と大判プリンタ３０とプリンタ４０とを有する。画像処理装置１０、プリンタ２０、大判プリンタ３０、プリンタ４０は、ローカルエリアネットワークＬＡＮに接続されている。画像処理装置１０は、一般的なパーソナルコンピュータである。プリンタ２０、プリンタ４０はカラープリンタである。大判プリンタ３０はプリンタ２０、プリンタ４０よりもサイズの大きな用紙や特殊な材質の用紙に印刷することができる特殊なプリンタである。
【００１８】
画像処理装置１０のメモリには、テンプレート２０１が記録されている。テンプレートとは印刷条件と配置情報とからなるデータであり、本発明における「レイアウト定義データ」に当たる。テンプレートの詳細な構成については後述する。画像処理装置１０は、ユーザからの印刷要求に応じて画像データ５０をテンプレート２０１に割り付け、テンプレート２０１に含まれる印刷条件を用いて出力先のプリンタに適した印刷データ６０を生成し、プリンタに出力する。本実施例では、画像処理装置１０は印刷データ６０を特殊プリンタである大判プリンタ３０に出力する。印刷データ６０は、大判プリンタ３０での印刷に適した形式で生成される。
【００１９】
画像処理装置１０は、印刷データの生成に用いるテンプレートを、テンプレートの属性情報とユーザの操作とに基づき分類し、分類結果を用いてレイアウト定義データを選択する。テンプレートの分類・選択処理は本発明の特徴的な処理であり後に詳述する。
【００２０】
Ａ２．機能ブロック：
図２は、本実施例における画像処理装置１０の機能ブロックを例示する説明図である。画像処理装置１０は、ＣＰＵ１００、ＲＯＭ１０１、ＲＡＭ１０２、入力部１０３、ディスプレイ１０４、テンプレートフォルダ１０５、画像データフォルダ１０６、プリンタドライバ１３０，１３１，１３２を備える。各機能ブロックはＣＰＵ１００により制御されている。
【００２１】
入力部１０３は、画像処理装置１０のキーボードやマウスからの入力を各機能ブロックに通知する。
【００２２】
プリンタドライバ１３０はプリンタ２０のドライバであり、プリンタドライバ１３１は大判プリンタ３０のドライバであり、プリンタドライバ１３２はプリンタ４０のドライバである。
【００２３】
ＲＯＭ１０１は、レイアウト設定アプリケーション１２０を有する。レイアウト設定アプリケーション１２０は、テンプレート読込モジュール１２１、レイアウトモジュール１２２、印刷データ生成モジュール１２３を有する。各モジュールはＣＰＵ１００により実行される。
【００２４】
レイアウト設定アプリケーション１２０は、ディスプレイ１０４にテンプレートや印刷処理を行うための印刷条件の設定画面を表示する。印刷条件とは、そのテンプレートを用いて生成された印刷データの出力先プリンタ、用紙サイズ、用紙種類、給紙方法といった印刷処理に必要な設定情報を示す。
【００２５】
テンプレート読込モジュール１２１は、テンプレートフォルダ１０５に格納されているテンプレートのサムネイル画像をディスプレイ１０４に一覧表示する。また、テンプレート読込モジュール１２１は、ユーザの操作に応じてテンプレートの分類を行う。テンプレート読込モジュール１２１は、ユーザによって選択されたテンプレートを読み込み、テンプレートのプレビュー画面とテンプレートに設定されている印刷設定情報を共にディスプレイ１０４に表示する。
【００２６】
レイアウトモジュール１２２は、画像データフォルダ１０６に格納されている画像データのサムネイル画像を表示し、印刷を所望する画像をユーザに選択させる。テンプレートには印刷媒体上での画像の配置場所を定義する配置情報が含まれており、レイアウトモジュール１２２は、ユーザの操作と配置情報とに基づき印刷媒体上での画像の配置を設定する。本実施例では、テンプレートに含まれる配置情報に基づき、印刷を所望する画像データの印刷媒体上での割り付け位置を設定することを「レイアウト」と呼ぶ。
【００２７】
印刷データ生成モジュール１２３は、印刷対象画像データを用いて、配置情報および印刷設定情報に従い印刷データを生成する。
【００２８】
Ａ３．テンプレート構成：
まず、本実施例で用いられるテンプレート２０１の内容について説明する。図３（ａ）〜（ｃ）は、本実施例におけるテンプレートの構成を例示する説明図である。図３（ａ）、図３（ｂ）を用いて、テンプレート２０１がディスプレイに表示されたイメージ上での画像の割付枠画像の割付位置について説明する。図３（ａ）に示すように、テンプレート２０１は、テンプレート２０１の外枠の左上角の座標点Ａを基準点（０，０）、横方向をｘ軸、縦方向をｙ軸とし、各画像の割付枠の左上角の座標点および右下角の座標点を決定する。各座標点Ａ〜Ｊを用いて、図３（ｂ）に示す割付位置テーブル７０によって、外枠および画像の割付枠の位置、大きさを定義する。割付位置テーブル７０は、本発明における配置情報に当たる。
【００２９】
割付位置テーブル７０は、枠番、左上座標、右下座標の３項目から構成される。「枠番」とは、画像の割付枠に個別に割り振られた番号を表す。「左上座標」とは、外枠もしくは画像の割付枠の左上角の座標点を表す。「右下座標」とは、外枠もしくは画像の割付枠の右下角の座標点を表す。例えば、外枠は枠番「０」であり、左上座標Ａ（０，０）と右下座標Ｊ（ｘ９，ｙ９）とによって表される矩形で定義されている。また、例えば、枠番「２」の画像の割付枠は、左上座標Ｄ（ｘ３，ｙ３）と右下座標Ｅ（ｘ４，ｙ４）とによって表される矩形で定義されている。枠番「０」が外枠を表しているため、枠番の番号の最も大きい数字はテンプレート２０１が有する画像の割付枠の個数を表している。本実施例では、画像の割付枠は２つの座標点で定義される矩形としたが、例えば「中心点」と「半径」という項目を設け円形で定義してもよい。
【００３０】
また、テンプレート２０１は、図３（ｃ）に示す印刷規定情報８０を有する。印刷規定情報８０は、テンプレート２０１を用いる際に、印刷を推奨するプリンタの種類や給紙方法、用紙サイズ、用紙種類といった印刷処理に関する印刷設定情報や、テンプレートの属性を表す属性情報を含む。属性情報とは、属性項目と、属性項目に設定される属性値とを有する。属性項目とは、例えば、テンプレートを用いて印刷された印刷結果の使用区分を表すカテゴリー、テンプレートを用いて生成された印刷データの出力形式、テンプレートを用いて生成された印刷データを印刷する印刷媒体を含む。図に示すように、テンプレート２０１の名前は「Ｔｅｍｐ０１」であり、テンプレート２０１を用いる際に印刷を推奨するプリンタの機種は「ＬＰ−１０００」である。また、テンプレート２０１の属性項目「カテゴリー」に設定されている属性値は「ビジネス」であり、属性項目「出力形式」に設定されている属性値は「Ａ版」である。本実施例の属性項目は請求の範囲における大項目に当たる。また、属性値は請求の範囲における中項目に当たる。
【００３１】
テンプレート２０１には、以上のような割付位置テーブル７０、印刷規定情報８０がスクリプトにより記述された情報である。
【００３２】
Ａ４．印刷処理：
図４は、本実施例における画像処理装置１０が実行する印刷処理を説明するフローチャートである。画像処理装置１０のＣＰＵが各機能ブロックを制御して行う処理である。
【００３３】
画像処理装置１０は、テンプレートフォルダ１０５に格納されている全てのテンプレートのサムネイル画像をディスプレイに表示する（ステップＳ１０）。
【００３４】
図５を用いてディスプレイに表示されるテンプレートの選択画面について説明する。図５は、本実施例におけるテンプレート選択画面ＷＤ１を例示する説明図である。テンプレート選択画面ＷＤ１はサムネイル画像表示部２００と印刷設定情報表示部２１０と、テンプレート抽出部２２０とを有する。
【００３５】
印刷設定情報表示部２１０には、「プリンタ」、「給紙」、「用紙サイズ」、「用紙種類」の４項目のコンボボックス３０１，３０２，３０３，３０４が表示される。印刷設定情報表示部２１０の各項目には、ユーザによってクリックされたテンプレートの印刷規定情報に設定されている各情報が印刷設定情報表示部２１０の各項目に表示される。本実施例では、いずれのテンプレートもユーザにより選択されていないため、各コンボボックス３０１〜３０４は空白である。例えば、ユーザによってテンプレート２０１が選択された場合、「プリンタ」の項目にはテンプレート２０１の印刷規定情報８０に含まれる「プリンタ」の設定値である「ＬＰ−１０００」が表示される。同様に、「給紙」、「用紙サイズ」および「用紙種類」の各項目についても印刷規定情報８０の各設定値が表示される。ユーザは最終的にテンプレートを選択する前にテンプレートに設定されている種々の情報を視認することができ好適である。
【００３６】
テンプレート抽出部２２０には、属性項目選択コンボボックス３１０が表示される。画像処理装置１０は、ユーザによって設定される属性項目選択コンボボックス３１０の値に基づきテンプレートを分類する。属性項目選択コンボボックス３１０には、初期値として「Ａｌｌ」が設定されている。
【００３７】
サムネイル画像表示部２００には、テンプレート抽出部２２０の内容と連動してテンプレートフォルダ１０５に格納されているテンプレートのサムネイル画像がサムネイル画像表示部２００に表示される。本実施例では、属性項目選択コンボボックス３１０に「Ａｌｌ」と設定されているため、テンプレートフォルダ１０５に格納されている全てのテンプレートのサムネイル画像がディスプレイに表示される。
【００３８】
画像処理装置１０は、ユーザの操作に応じてテンプレート選択処理を行う（ステップＳ１１）。
【００３９】
図６、図７，図８を用いて、テンプレート選択処理について詳細に説明する。図６は、本実施例におけるテンプレート選択処理を説明するフローチャートである。本処理は、テンプレート読込モジュール１２１が実行する処理である。
【００４０】
テンプレート読込モジュール１２１は、属性項目選択コンボボックス３１０の設定値が変更されたか否かを判断する（ステップＳ２０）。属性項目選択コンボボックス３１０の設定値がどのように変更されるかについて、図７を用いて説明する。図７は、本実施例におけるテンプレート選択画面ＷＤ１を例示する画面例である。
【００４１】
テンプレートの属性項目を表示する属性項目選択コンボボックス３１０のドロップダウンボタン３１１が押下されるとドロップダウンリスト３１２が表示される。ドロップダウンリスト３１２には、テンプレートの印刷規定情報に含まれる属性情報の一部の属性項目名が表示される。本実施例では、図７に示すように、コンボボックス３０１には初期値「Ａｌｌ」が設定されており、属性項目名「カテゴリー」、「出力形式」、「印刷媒体」がドロップダウンリスト３１２に表示される。画像処理装置１０は、ユーザによって選択されたドロップダウンリスト３１２の属性項目を属性項目選択コンボボックス３１０に表示する。本実施例では、ユーザにより「カテゴリー」が選択される。
【００４２】
属性項目選択コンボボックス３１０の設定値が変更された場合（ステップＳ２０：ＹＥＳ）には、テンプレート読込モジュール１２１は、各テンプレートの変更後の属性項目に設定されている属性値が同一のテンプレートを同一グループに分類する（ステップＳ２１）。
【００４３】
本実施例における分類方法について、図８、図９を用いて説明する。図８は、本実施例におけるテンプレートの分類方法を模式的に説明する説明図である。テンプレート２０１〜２１０は、テンプレートフォルダ１０５に格納されているテンプレートである。各テンプレートの枠内に示す「Ｃ」は、各テンプレートの印刷規定情報に設定されている属性項目「カテゴリー」を示しており、「Ｃ」に続いて示す「ビジネス」や「個人」という情報は、各テンプレートの属性項目「カテゴリー」に設定されている属性値を表している。同様に、各テンプレートの枠内に示す「Ｆ」は、各テンプレートの印刷規定情報に設定されている属性項目「出力形式」を示しており、「Ｆ」に続いて示す「Ａ版」や「Ｂ版」という情報は、各テンプレートの属性項目「出力形式」に設定されている属性値を表している。
【００４４】
テンプレート読込モジュール１２１は、ユーザによって選択された属性項目の属性値に応じてテンプレートを分類する。本実施例において分類とは、属性値が同一のテンプレートをグループ化することを示す。例えば、ユーザにより属性項目「カテゴリー」が選択された場合、テンプレート読込モジュール１２１は、図に実線枠で示すように、「Ｃ：ビジネス」であるテンプレート２０１〜２０３を同一のグループＧ１０に分類し、「Ｃ：教育」であるテンプレート２０４、２０５を同一のグループＧ１１に分類し、「Ｃ：個人」であるテンプレート２０６〜２１０を同一のグループＧ１２に分類する。また、例えば、ユーザにより属性項目「出力形式」が選択された場合、テンプレート読込モジュール１２１は、図に破線枠で示すように、「Ｆ：Ａ版」であるテンプレート２０１〜２０３、２．６，２０７を同一のグループＧ２０に分類し、「Ｆ：Ｂ版」であるテンプレート２０４、２０５、２０８〜２１０を同一のグループＧ２１に分類する。テンプレート読込モジュール１２１は、テンプレートがいずれのグループに分類されたかを表す分類情報を生成する。分類情報について図９を用いて説明する。図９は、本実施例において、ユーザにより属性項目「カテゴリー」が選択された場合の分類情報４００を例示する説明図である。
【００４５】
分類情報４００は、分類項目名４０１とグループ名４０２とテンプレート名４０３とを有する。分類項目名４０１は分類に使用した属性項目を表す。グループ名４０２は分類された各グループの名前を表す。各グループの名前は分類に使用した属性項目の属性値である。テンプレート名４０３は、各グループに分類されたテンプレートの名前が表される。分類項目名４０１に「カテゴリー」とあるように、分類情報４００は属性項目「カテゴリー」の属性値に基づき分類された分類情報である。「Ｔｅｍｐ０１」、「Ｔｅｍｐ０２」、「Ｔｅｍｐ０３」という名前のテンプレートはグループ名「ビジネス」のグループ（図８におけるグループＧ１０）に分類されており、「Ｔｅｍｐ０４」、「Ｔｅｍｐ０５」という名前のテンプレートはグループ名「教育」のグループ（図８におけるグループＧ１１）に分類されており、「Ｔｅｍｐ０６」、「Ｔｅｍｐ０７」、「Ｔｅｍｐ０８」、「Ｔｅｍｐ０９」、「Ｔｅｍｐ１０」という名前のテンプレートはグループ名「個人」のグループ（図８におけるグループＧ１２）に分類されている。分類情報４００はＲＡＭ１０２に記録される。
【００４６】
テンプレート読込モジュール１２１は、分類情報４００を参照し分類された各グループのグループ名を、グループアイコンとともにディスプレイ１０４に表示する（ステップＳ２２）。グループ名とグループアイコンが表示されたテンプレート選択画面ＷＤ１について、図１０を用いて説明する。図１０は、本実施例におけるテンプレート選択画面ＷＤ１を説明する画面例である。
【００４７】
属性項目選択コンボボックス３１０には、ユーザによって選択された属性項目「カテゴリー」が設定されている。属性項目選択コンボボックス３１０の下方に、グループアイコン３２０ａ〜３２０ｅと、各グループアイコンに対応してグループ名３２１ａ〜３２１ｅが表示される。
【００４８】
テンプレート読込モジュール１２１は、ユーザによりいずれかのグループが選択されたか否かを判断する（ステップＳ２３）。ユーザによっていずれかのグループが選択された場合（ステップＳ２３：ＹＥＳ）には、テンプレート読込モジュール１２１は分類情報４００を参照して選択されたグループに含まれるテンプレートのサムネイル画像をサムネイル画像表示部２００に表示する（ステップＳ２４）。
【００４９】
本実施例では、ユーザによって選択されたグループアイコンにハッチングを付して示す。図１０に示すように、本実施例では、グループ名「個人」のグループが選択され、「個人」のグループに分類されているテンプレートのサムネイル画像がサムネイル画像表示部２００に表示される。
【００５０】
ユーザによっていずれのグループの選択も検出されない場合（ステップＳ２３：ＮＯ）には、テンプレート読込モジュール１２１は属性項目が変更されたか否かを判断し（ステップＳ２１）、以降の処理を繰り返す。この際、例えば、属性項目選択コンボボックス３１０の設定値が「カテゴリー」から「出力形状」に変更されたことを検出した場合（ステップＳ２１：ＹＥＳ）には、テンプレート読込モジュール１２１は、各テンプレートの属性項目「出力形状」の属性値に基づきテンプレートを再分類する。再分類後のテンプレート選択画面ＷＤ１について図１１を用いて説明する。図１１は、本実施例におけるテンプレート選択画面ＷＤ１を説明する画面例である。
【００５１】
属性項目選択コンボボックス３１０には、ユーザによって変更された属性項目「出力形状」が設定されている。属性項目選択コンボボックス３１０の下方に、グループアイコン３５０ａ〜３５０ｆと、各グループアイコンに対応してグループ名３５１ａ〜３５１ｆが表示される。グループ名３５１ａ〜３５１ｆには、属性項目「出力形状」の属性値が設定される。例えば、「Ａ版」（３５１ａ）や「Ｂ版」（３５１ｂ）、「写真」（３５１ｅ）がグループ名に表示される。図１１は、ユーザによりグループ名「写真」のグループが選択され、「写真」のグループに分類されているテンプレートのサムネイル画像がサムネイル画像表示部２００に表示される。このように、テンプレートの分類に用いるテンプレートの属性項目をユーザに切り換えさせることができる。ユーザは種々の条件でテンプレートを容易に絞り込むことができる。
【００５２】
テンプレート読込モジュール１２１は、選択ボタン２５０が押下されたことを検出する（ステップＳ２５）と、サムネイル画像表示部２００に表示されているテンプレートの中からユーザがマウスで選択したテンプレート、および、そのテンプレートに設定されている印刷規定情報をディスプレイ１０４に表示する（ステップＳ２６）。
【００５３】
図１２を用いてディスプレイに表示されるプリント設定画面について説明する。図１２は、本実施例におけるプリント設定画面ＷＤ２を例示する画面例である。プリント設定画面ＷＤ２は、印刷設定情報表示部２１０とテンプレートのプレビュー表示部３３０とを有する。印刷設定情報表示部２１０には印刷設定部３００とテンプレート設定情報表示部３２０とが表示される。
【００５４】
プレビュー表示部３３０には、ユーザによって選択されたテンプレート２０１のプレビューが表示される。
【００５５】
印刷設定部３００は、「プリンタ」、「給紙」、「用紙サイズ」、「用紙種類」の４項目を備える。各項目の設定値はユーザが任意に変更できるようコンボボックス３０１、３０２、３０３、３０４に表示される。図示するように、各コンボボックスには初期値としてテンプレート２０１の印刷規定情報８０に含まれる各情報が表示されている。例えば、「プリンタ」の項目にはテンプレートの印刷規定情報８０に含まれる「プリンタ」の設定値「ＬＰ−１０００」が表示される。同様に、「給紙」の項目には印刷規定情報８０の「給紙」の設定値「シート」が表示され、「用紙サイズ」の項目には印刷規定情報８０の「用紙サイズ」の設定値「Ａ３」が表示され、「用紙種類」の項目には印刷規定情報８０の「用紙種類」の設定値「光沢紙」が表示される。なお、給紙の種類にはロールとシートがあり、用紙種類には、例えば、光沢紙、普通紙、再生紙がある。
【００５６】
テンプレート設定情報表示部３２０には、テンプレート設定情報３２１が表示される。テンプレート設定情報３２１は、印刷規定情報８０の内容が表示されている。テンプレート設定情報３２１は変更することはできない。
【００５７】
画像処理装置１０は、ユーザから印刷対象画像データの割付操作を受けて印刷対象画像データの割り付け、すなわちレイアウトを行う（ステップＳ１２）。
【００５８】
図１３を用いてレイアウトについて説明する。図１３は、本実施例におけるレイアウト処理を説明する画面例である。画像処理装置１０は、ユーザからレイアウトの要求を受け付けるとファイルマネージャ画面ＷＤ３を表示する。ファイルマネージャ画面ＷＤ３には画像データフォルダ１０６に格納されている画像データＧＤ１，ＧＤ２，ＧＤ３，ＧＤ４のサムネイル画像が表示される。
【００５９】
ユーザによって、図中に矢印で示すように、画像データＧＤ４が割付枠２１０ａ上にドラッグアンドドロップされると、画像処理装置１０はドラッグアンドドロップされた画像データを割付枠２１０ａのサイズに合わせて解像度変換し割付枠２１０ａに表示する。本実施例では、画像処理装置１０は、割付枠と割付枠の位置に割り付けられる画像データとを、割付枠の枠番と画像データの格納場所のリンク情報との関連付けたリンクテーブルにより管理している。割付枠内に記載されている１，２...の番号が、各割付枠に割り振られている枠番である。
【００６０】
図１４を用いてリンクテーブル９０について説明する。図１４は、本実施例におけるリンクテーブルを例示する説明図である。リンクテーブル９０は、枠番とリンク情報からなる。「枠番」とはテンプレートの割付枠に個別に割り振られている枠番を示す。「リンク情報」とは、割付枠に割り付けられる画像データの格納場所を表す。リンクテーブル９０に示すように、枠番「１」には、リンク情報「Ｃ：￥ｔｅｍｐ￥ｉｍａｇｅ￥ｆｉｌｅ０１．ｊｐｇ」が対応付けられている。すなわち、枠番「１」の割付枠には「Ｃ：￥ｔｅｍｐ￥ｉｍａｇｅ」内に格納されている「ｆｉｌｅ０１．ｊｐｇ」という画像データが割り付けられていることを示している。図示するように、本実施例では、枠番「１」〜「４」全ての割付枠に同一の画像ファイルが割り付けられていることを示している。画像処理装置１０は、ユーザによるレイアウト操作に応じてリンクテーブル９０を生成し、ＲＡＭ１０２に記録する。
【００６１】
画像処理装置１０は、ユーザからの印刷指示を検出する（ステップＳ１３）と、リンクテーブル９０を参照しつつ、画像データおよびテンプレートを用いて印刷データを生成し（ステップＳ１４）、生成された印刷データを大判プリンタ３０へ出力する（ステップＳ１５）。
【００６２】
以上説明した実施例の画像処理装置によれば、テンプレートの印刷規定情報に含まれるテンプレートの属性情報に基づきテンプレートを分類し、分類結果を用いてテンプレート選択画面に表示させるテンプレートを絞り込むことができる。従って、ユーザは、ある属性値を有するテンプレートの中から使用するテンプレートを選択することができるため、多種多様なテンプレートから所望するテンプレートを簡易に選択することができる。
【００６３】
また、本発明によれば、分類する際のテンプレートの属性項目をユーザにより任意に切り換え可能とし、画像処理装置は切り換えられた属性項目の属性値に基づきテンプレートを再度分類することができる。従って、ユーザは所望する条件、例えば、印刷結果の使用目的や印刷する際の出力形状でテンプレートを絞り込み、絞り込まれたテンプレートから印刷データの生成に使用するテンプレートを選択することができ、利便性が向上する。
【００６４】
Ｂ．変形例： 
（１）
上述した実施例では、変更された属性項目の属性値を用いて予め分類し、分類結果を用いてテンプレートのサムネイル画像をサムネイル画像表示部２００に表示したがこれに限られない。例えば、分類を行わずに、変更された属性項目、選択された属性値を用いてテンプレートを抽出しディスプレイに表示してもよい。
【００６５】
以上、本発明の種々の実施例について説明したが、本発明はこれらの実施例に限定されず、その趣旨を逸脱しない範囲で種々の構成をとることができることは言うまでもない。
【図面の簡単な説明】
【００６６】
【図１】実施例におけるシステム構成を例示する説明図。
【図２】実施例における画像処理装置の機能ブロックを例示する説明図。
【図３】実施例におけるテンプレートの構成を例示する説明図。
【図４】実施例における印刷処理を説明するフローチャート。
【図５】実施例におけるテンプレート選択画面の画面例。
【図６】実施例におけるテンプレート選択処理を説明するフローチャート。
【図７】実施例におけるテンプレート選択画面を例示する画面例。
【図８】実施例におけるテンプレートの分類方法を説明する模式図。
【図９】実施例における分類情報を例示する説明図。
【図１０】実施例におけるテンプレート選択画面を説明する画面例。
【図１１】実施例におけるテンプレート選択画面を説明する画面例。
【図１２】実施例におけるプリント設定画面を例示する画面例。
【図１３】実施例におけるレイアウト処理を説明する画面例。
【図１４】実施例におけるリンクテーブルを例示する説明図。
【符号の説明】
【００６７】
１０００...印刷システム
１０...画像処理装置
２０...プリンタ
３０...大判プリンタ
４０...プリンタ
５０...画像データ
６０...印刷データ
７０...割付位置テーブル
８０...印刷規定情報
９０...リンクテーブル
１０３...入力部
１０４...ディスプレイ
１０５...テンプレートフォルダ
１０６...画像データフォルダ
１２０...レイアウト設定アプリケーション
１２１...テンプレート読込モジュール
１２２...レイアウトモジュール
１２３...印刷データ生成モジュール
１３０，１３１，１３２...プリンタドライバ
２００...サムネイル画像表示部
２０１...テンプレート
２１０...印刷設定情報表示部
２１０ａ...割付枠
２５０...選択ボタン
２２０...テンプレート抽出部
３００...印刷設定部
３０１，３０２，３０３，３０４...コンボボックス
３１０...属性項目選択コンボボックス
３１１...ドロップダウンボタン
３１２...ドロップダウンリスト
３２１...テンプレート設定情報
３３０...プレビュー表示部
３２０...テンプレート設定情報表示部
４００...分類情報
４０１...分類項目名
４０２...グループ名
４０３...テンプレート名
【図１】
2006309397.tif 000003
【図２】
2006309397.tif 000004
【図３】
2006309397.tif 000005
【図４】
2006309397.tif 000006
【図５】
2006309397.tif 000007
【図６】
2006309397.tif 000008
【図７】
2006309397.tif 000009
【図８】
2006309397.tif 000010
【図９】
2006309397.tif 000011
【図１０】
2006309397.tif 000012
【図１１】
2006309397.tif 000013
【図１２】
2006309397.tif 000014
【図１３】
2006309397.tif 000015
【図１４】
2006309397.tif 000016